(57)【要約】【構成】光ピックアップ１０は、対物レンズ１２およびこの対物レンズ１２を保持するレンズホルダ１４を含み、たとえば、ＣＤ、ＤＶＤ、ＭＤ或いはＭＯのようなディスクの記録／再生装置に適用される。この光ピックアップ１０は、対物レンズ１２とレンズホルダ１４とがインサート成形される。つまり、対物レンズ１２とレンズホルダ１４とが一体的に形成される。【効果】接着剤を使用しないので、製造が簡単であり、接着不良が原因で発生する振動によって信号の読み出しや書き込みが不安定になることもない。【選択図】　図２
2004103170.tif 000002
【特許請求の範囲】
【請求項１】
対物レンズおよび前記対物レンズを保持するレンズホルダを備える光ピックアップにおいて、
前記対物レンズと前記レンズホルダとをインサート成形したことを特徴とする、光ピックアップ。
【請求項２】
前記対物レンズはフランジ部を備え、
前記レンズホルダは前記フランジ部を保持する保持部を備え、
前記フランジ部と前記保持部とが密着するようにした、請求項１記載の光ピックアップ。
【請求項３】
前記保持部は前記フランジ部の少なくとも一部が嵌まる溝を含む、請求項２記載のピックアップ。
【発明の詳細な説明】
【０００１】
【産業上の利用分野】
この発明は光ピックアップに関し、特にたとえば対物レンズおよびこの対物レンズを保持するレンズホルダを備え、光ディスクの記録／再生装置に適用される、光ピックアップに関する。
【０００２】
【従来の技術】
従来のこの種の光ピックアップの一例が特許文献１に開示されている。図７に示すように、この従来技術の光学ピックアップ１は光学レンズ２を含み、光学レンズ２はホルダ３に保持される。具体的には、光学レンズ２は、凸型の球面座２ａを有し、ホルダ３の凹型の球面座３ａに嵌まるように、ホルダ３に保持される。また、この光学ピックアップ１では、凸型の球面座２ａの中心と凹型の球面座３ａの中心とが、対物レンズ２の焦点位置ＣＰの直線上に位置するように、対物レンズ２とホルダ３とが接着剤４によって固定される。つまり、対物レンズ２の傾きを調整して固定することにより、傾きの調整用機能を省略している。
【０００３】
【特許文献１】
特開平７−２２０２８６号公報（第３頁，第２図）
【０００４】
【発明が解決しようとする課題】
しかし、この従来技術では、対物レンズ２の球面座２ａをホルダ３の球面座３ａに嵌め合わせ、紫外線硬化型の接着剤４で接着するようにしているため、紫外線の照射が不十分であると、接着剤４が完全に硬化しきれず、柔らかいままであった。このような接着不良が発生すると、振動に対して極端に弱くなってしまっていた。たとえば、光ピックアップ１は、光ディスクの記録／再生時にトラッキングサーボやフォーカスサーボをかける場合には、高い周波数で光ディスクに形成されたトラックに追従することが望ましいが、接着不良が発生すると、対物レンズ２が高い周波数で共振（振動）を起こしてしまい、信号の読み取りや書き込みが不安定になってしまっていた。また、最悪の場合には、接着剤４が剥がれてしまい、対物レンズ２がホルダ３から外れてしまうという問題があった。これらを回避するためには、接着剤の量や紫外線の照射時間などを正確に管理（制御）する必要があり、光ピックアップの製造が面倒であった。
【０００５】
それゆえに、この発明の主たる目的は、製造が簡単であり、接着不良による不具合の発生を防止できる、光ピックアップを提供することである。
【０００６】
【課題を解決するための手段】
この発明は、対物レンズおよび対物レンズを保持するレンズホルダを備える光ピックアップにおいて、対物レンズとレンズホルダとをインサート成形したことを特徴とする、光ピックアップである。
【０００７】
【作用】
光ピックアップは、対物レンズおよびこの対物レンズを保持するレンズホルダを備え、たとえば、ＣＤ、ＤＶＤ、ＭＤ或いはＭＯのようなディスクの記録／再生装置に適用される。この光ピックアップでは、対物レンズとレンズホルダとがインサート成形される。つまり、対物レンズとレンズホルダとが一体的に形成される。
【０００８】
たとえば、対物レンズのフランジ部がレンズホルダに設けられる保持部に密着される。また、保持部にフランジ部の少なくとも一部が嵌まる溝を設けるようにすれば、フランジ部と保持部の密着度が比較的弱い場合であっても、対物レンズがレンズホルダから外れてしまうような不具合が発生することがない。
【０００９】
【発明の効果】
この発明によれば、対物レンズとレンズホルダとを一体的に形成するので、接着剤を使用する必要がない。つまり、製造が簡単であり、接着不良による不具合が発生することもない。
【００１０】
この発明の上述の目的，その他の目的，特徴および利点は、図面を参照して行う以下の実施例の詳細な説明から一層明らかとなろう。
【００１１】
【実施例】
図１を参照して、この実施例の光ピックアップ１０は対物レンズ１２を含み、対物レンズ１２はレンズホルダ（以下、単に「ホルダ」という。）１４によって保持される。たとえば、対物レンズ１２は、アクリル系のプラスチックやガラスによって形成される。また、ホルダ１４は、液晶ポリマのような樹脂によって形成される。図１においては省略するが、ホルダ１４の外周には、光ピックアップ１０に対して、トラッキングサーボおよびフォーカスサーボをかけるためのアクチュエータコイル（図２参照）が巻かれている。
【００１２】
図１のＩＩ−ＩＩ断面図である図２からも分かるように、対物レンズ１２はレンズ部１２ａおよびその周りに形成されるフランジ部１２ｂを含む。一方、ホルダ１４は、対物レンズ１２のフランジ部１２ｂを保持する保持部１４ａを含む。この実施例の光ピックアップ１０では、フランジ部１２ｂと保持部１４ａとが密着（接合）している。つまり、対物レンズ１２とホルダ１４とが一体的に形成される。
【００１３】
なお、上述したように、ホルダ１４の外周には、アクチュエータコイル１６が巻かれている。
【００１４】
このような光ピックアップ１０を形成（製造）する場合には、まず、別工程で製造された対物レンズ１２が、図４に示すように、金型（上型）２０と金型（下型）２２との間（金型内）に配置される。この図４から分かるように、レンズ部１２ａの下側に突出する凸部が下型２２の開口部に嵌まるように、対物レンズ１２が配置され、上型２０によってフランジ部１２ｂの上面が押えられるので、対物レンズ１２の中心位置がずれることはない。次に、液晶ポリマのような樹脂が、上型２０と下型２２とによって形成された注入口２４から注入（モールド）され、上型２０と下型２２とで形成された空間（空隙）２６に充填される。つまり、対物レンズ１２とホルダ１４とがインサート成形される。言い換えると、対物レンズ１２とホルダ１４とが一体的に形成される。そして、樹脂が硬化すると、上型２０および下型２２が外される。このようにして、光ピックアップ１０が製造される。
【００１５】
なお、図３に示す左右の空間２６はつながっているため、注入口２４は少なくとも１つ設けられればよい。また、注入口２４に残留した樹脂によって形成される突起は、カッタ等によって除去される。
【００１６】
この実施例によれば、対物レンズとホルダとをインサート成形するので、接着剤を使用する必要がない。つまり、製造が簡単である。また、接着不良が発生することもないので、この対物レンズが適用されるディスク装置において、振動によりディスクへの信号の書き込みや読み出しが不安定になるような不具合が発生することもない。
【００１７】
他の実施例の光ピックアップ１０は、ホルダ１４の形状を変更した以外は上述の実施例と同じであるため、重複した説明は省略する。
【００１８】
図４に示すように、この他の実施例の光ピックアップ１０では、ホルダ１４に設けられる保持部１４ａは、対物レンズ１２の外周縁の挟むように形成される。言い換えると、保持部１４ａには、対物レンズ１２のフランジ部１２ｂの一部が嵌まるように、溝１４ｂが形成される。
【００１９】
他の実施例の光ピックアップ１０を製造する工程は、上述の実施例と同様であるが、図５に示すように、上型２０の形状が異なる。つまり、上型２０の一部であり、フランジ部１２ｂの上面と接触する面に凸部２０ａが設けられる。このように上型２０を形成することにより、フランジ部１２ｂの上面側の一部にも樹脂が充填され、対物レンズ１２の外周縁を挟むように、ホルダ１４の保持部１４ａが形成される。つまり、保持部１４ａにフランジ部１２ｂが嵌まる溝１４ｂが形成される。
【００２０】
なお、図示は省略するが、対物レンズ１２の上面には、レンズの保護膜（レンズプロテクタ）が設けられるため、このレンズプロテクタとフランジ部とを挟むように、樹脂が充填される。
【００２１】
他の実施例によれば、上述の実施例の効果に加え、対物レンズとホルダとの密着度が比較的弱い場合であっても、対物レンズがホルダから外れてしまうような不具合が発生することはない。
【００２２】
上述の実施例で示したような光ピックアップ１０は、図６に示すようなディスク再生装置３０に適用される。このディスク再生装置３０は、ＣＤのようなディスク３２を含み、このディスク３２はスピンドルモータ３４によって回転されるターンテーブルにチャッキングされる。光ピックアップ１０に内蔵されるレーザダイオード（図示せず）がオンされると、レーザ光がディスク３２の記録面に照射され、その反射光が光ピックアップ１０に内蔵される光検出器（図示せず）に入力される。
【００２３】
光検出器の出力は、それぞれ、ＲＦ信号検出回路３６，ＴＥ（トラッキングエラ）信号検出回路３８およびＦＥ（フォーカスエラ）信号検出回路４０に入力される。ＲＦ信号検出回路３６、ＴＥ信号検出回路３８およびＦＥ信号検出回路４０のそれぞれでは、光検出器の出力に対して周知の演算処理を施し、ＲＦ信号、ＴＥ信号およびＦＥ信号を検出する。このように検出された信号は、それぞれ、Ａ／Ｄ変換器４２ａ，Ａ／Ｄ変換器４２ｂおよびＡ／Ｄ変換器４２ｃでディジタルデータに変換された後、ＤＳＰ４４に入力される。
【００２４】
ディジタルデータに変換されたＲＦ信号は、図示は省略するが、ホストコンピュータの指示に従ってＤＳＰから再生処理回路に与えられ、再生処理回路によって所定の処理を施された後、再生信号がスピーカやモニタ等の出力装置に出力される。
【００２５】
また、ＤＳＰ４４は、ディジタルデータに変換されたＴＥ信号に基づいて、シーク処理またはトラッキング制御処理を実行し、トラッキングアクチュエータ電圧およびスレッド制御電圧を生成する。ＰＷＭ変調回路４６ａおよび４６ｃは、それぞれ、トラッキングアクチュエータ制御電圧およびスレッド制御電圧に対応するパルス幅のＰＷＭ信号を生成し、トラッキングアクチュエータ（図示せず）およびスレッドモータ４８に与える。これによって、ディスク３２の径方向（スレッド方向）における光ピックアップ１０の位置（対物レンズの位置）と、スレッドモータ４８の回転速度および回転方向が制御される。
【００２６】
さらに、ＤＳＰ４４は、ディジタルデータに変換されたＦＥ信号に基づいて、フォーカスサーボを実行し、フォーカス制御電圧を生成する。生成されたフォーカス制御電圧はＰＷＭ変調回路４６ｂに入力され、ＰＷＭ変調回路４６ｂは、入力されたフォーカス制御電圧に対応するパルス幅を持つＰＷＭ信号をフォーカスアクチュエータ（図示せず）に与える。これによって、フォーカスつまり光ピックアップ１０の光軸上の位置（対物レンズの位置）が調整される。
【００２７】
なお、光ピックアップ１０がＣＤのようなディスクを再生するディスク装置に適用された場合についてのみ示したが、ディスクはＭＤ、ＭＯ或いはＤＶＤであってもよく、また、光ピックアップ１０は信号を記録できるディスク装置に適用されてもよい。或いは、記録および再生可能なディスク装置に適用することも可能である。
【図面の簡単な説明】
【図１】この発明の一実施例を示す図解図である。
【図２】図１実施例に示す光ピックアップの断面図である。
【図３】図１実施例に示す光ピックアップの製造工程の一部を説明するための図解図である。
【図４】この発明の他の実施例の光ピックアップの断面図である。
【図５】図５実施例に示す光ピックアップの製造工程の一部を説明するための図解図である。
【図６】この発明の実施例で示される光ピックアップが適用されるディスク装置の構成を示す図解図である。
【図７】従来の光ピックアップを示す図解図である。
【符号の説明】
１０　…光ピックアップ
１２　…対物レンズ
１２ａ　…レンズ部
１２ｂ　…フランジ部
１４　…レンズホルダ
１４ａ　…保持部
１４ｂ　…溝
１６　…アクチュエータコイル
【図１】
2004103170.tif 000003
【図２】
2004103170.tif 000004
【図３】
2004103170.tif 000005
【図４】
2004103170.tif 000006
【図５】
2004103170.tif 000007
【図６】
2004103170.tif 000008
【図７】
2004103170.tif 000009